(57)【特許請求の範囲】
【請求項１】
移動端末が送信したMR（Measurement Report）を基地局が受信することを契機にして実行されるハンドオーバの失敗原因別にハンドオーバ失敗回数を集計したハンドオーバ失敗ログを作成するハンドオーバログ集計装置において、
移動端末毎にMRの送信状態を記録するMR送信状態管理部と、
ハンドオーバ失敗が検知されると、前記MR送信状態管理部が記録した情報に基づいて、各MRの送信状態に関連付けたハンドオーバ失敗ログを作成するハンドオーバ失敗ログ集計部と、を備え、
ハンドオーバ処理を開始するまでに複数のMR送受信ステップが必要となる場合に、
前記MR送信状態管理部は、移動端末毎に、移動端末が接続しているセルにおける移動端末IDと、各MRの送信状態として前記複数のMR送受信ステップのうち、少なくとも、最後のMR送受信ステップを除く全てのMR送受信ステップについての送信済みであるか又は未送信であるかを示す情報と、を関連付けて記録し、
前記ハンドオーバ失敗ログ集計部は、ハンドオーバタイミングが遅すぎることが原因で発生したハンドオーバ失敗が検知された場合に、当該ハンドオーバ失敗が発生した移動端末IDと前記MR送信状態管理部が記録した情報とに基づいてハンドオーバ失敗の発生原因であるMRを特定し、前記特定したMR別に前記ハンドオーバタイミングが遅すぎることが原因で発生したハンドオーバ失敗の発生回数を集計する、
ことを特徴とするハンドオーバログ集計装置。
【請求項２】
前記複数のステップは、前記移動端末が電力測定を開始するための契機となる第１のMRを前記基地局へ送信する第１のMR送受信ステップと、前記第１のステップの後でハンドオーバ処理を開始するための契機となる第２のMRを前記基地局へ送信する第２のMR送受信ステップとから成り、
前記ハンドオーバ失敗ログ集計部は、前記第１のMRと前記第２のMRの別に、前記ハンドオーバタイミングが遅すぎることが原因で発生したハンドオーバ失敗の発生回数を集計する、
ことを特徴とする請求項１に記載のハンドオーバログ集計装置。
【請求項３】
前記ハンドオーバ失敗ログ集計部は、Too Late HOの発生が検知された場合に、RLF Indicationにより通知された移動端末IDを使用する、
ことを特徴とする請求項１に記載のハンドオーバログ集計装置。
【請求項４】
前記ハンドオーバ失敗ログ集計部は、HO to Wrong Cellの発生が検知された場合に、Target Cell又はReconnection Cellとの情報交換により得られたハンドオーバ先のセルIDおよび移動端末IDを使用し、前記特定したMRに関連付けた、Reconnection Cellに関するハンドオーバ失敗ログを作成する、
ことを特徴とする請求項１に記載のハンドオーバログ集計装置。
【請求項５】
移動端末が送信したMR（Measurement Report）を基地局が受信することを契機にして実行されるハンドオーバの失敗原因別にハンドオーバ失敗回数を集計したハンドオーバ失敗ログを作成するハンドオーバログ集計処理を行うためのコンピュータプログラムであって、
移動端末毎にMRの送信状態を記録するMR送信状態管理ステップと、
ハンドオーバ失敗が検知されると、前記記録した情報に基づいて、各MRの送信状態に関連付けたハンドオーバ失敗ログを作成するハンドオーバ失敗ログ集計ステップと、をコンピュータに実行させるためのコンピュータプログラムであり、
ハンドオーバ処理を開始するまでに複数のMR送受信ステップが必要となる場合に、
前記MR送信状態管理ステップは、移動端末毎に、移動端末が接続しているセルにおける移動端末IDと、各MRの送信状態として前記複数のMR送受信ステップのうち、少なくとも、最後のMR送受信ステップを除く全てのMR送受信ステップについての送信済みであるか又は未送信であるかを示す情報と、を関連付けて記録し、
前記ハンドオーバ失敗ログ集計ステップは、ハンドオーバタイミングが遅すぎることが原因で発生したハンドオーバ失敗が検知された場合に、当該ハンドオーバ失敗が発生した移動端末IDと前記MR送信状態管理ステップが記録した情報とに基づいてハンドオーバ失敗の発生原因であるMRを特定し、前記特定したMR別に前記ハンドオーバタイミングが遅すぎることが原因で発生したハンドオーバ失敗の発生回数を集計する、
ことを特徴とするコンピュータプログラム。
【発明の詳細な説明】
【技術分野】
【０００１】
本発明は、ハンドオーバログ集計装置およびコンピュータプログラムに関する。
【背景技術】
【０００２】
標準化団体の3GPP（3rd Generation Partnership Project）でLTE（Long Term Evolution）システムと呼ばれるセルラシステムが標準化されている。LTEシステムにおいて、移動端末が接続する基地局を切り替える動作であるハンドオーバ（Handover：HO）は、移動端末が送信したMR（Measurement Report）を基地局が受信することを契機にして実行される。MRには複数の種類が存在する。
【０００３】
図１８は、同一周波数帯内ハンドオーバ（Intra-Band HO）のシーケンスの一例を示す図である。Intra-Band HOは、移動端末が同一周波数帯のセル間で、接続する基地局を切り替える動作である。Intra-Band HOでは、移動端末（UE）が送信したMRを基地局が受信することを契機としてHO処理を開始する。図１８に示す例では、HO元の基地局（Source eNB）が移動端末（UE）から「A3 MR」又は「A5 MR」を受信すると、HO処理が開始される。
【０００４】
図１９は、異周波数帯間ハンドオーバ（Inter-Band HO）及び異システム間ハンドオーバ（Inter-RAT HO）のシーケンスの一例を示す図である。異周波数帯間ハンドオーバ（Inter-Band HO）は、移動端末が異なる周波数帯のセル間で、接続する基地局を切り替える動作である。異システム間ハンドオーバ（Inter-RAT HO）は、移動端末が異なる無線通信システム間で、接続する基地局を切り替える動作である。図１９に示す例では、Inter-Band HO及びInter-RAT HOは、HO元の基地局（Source eNB）が移動端末（UE）から「A2 MR」を受信すると、当該移動端末が接続する基地局と異なる周波数帯の電力測定を開始する。さらに、図１８と同様に、HO元の基地局（Source eNB）が移動端末（UE）から「A3 MR」又は「A5 MR」を受信すると、HO処理が開始される。
【０００５】
MRには、移動端末がMRを送信することを判定する際に用いる送信判定条件が定義されている（非特許文献１参照）。各MRの送信判定条件を以下に示す。
「A1 MR」：移動端末が接続する基地局（接続基地局）の評価指標が閾値を上回る。
「A2 MR」：接続基地局の評価指標が閾値を下回る。
「A3 MR」：接続基地局に隣接する基地局（隣接基地局）の評価指標が接続基地局の評価指標を閾値以上上回る。
「A4 MR」：隣接基地局の評価指標が閾値を上回る。
「A5 MR」：接続基地局の評価指標が第１の閾値を下回り、隣接基地局の評価指標が第２の閾値を上回る。
「B1 MR」：接続基地局と異なる無線通信システムの隣接基地局（異システム隣接基地局）の評価指標が閾値を上回る。
「B2 MR」：接続基地局の評価指標が第１の閾値を下回り、異システム隣接基地局 の評価指標が第２の閾値を上回る。
【０００６】
上記の送信判定条件で用いる評価指標は、移動端末が受信する基地局の電力や通信品質を表す指標であり、例えばRSRP（Reference Signal Received Power）[dBm]又はRSRQ（Reference Signal Received Quality）[dB]である。また、各MRの送信判定条件の閾値は移動端末毎に個別に設定するものであり、それらの閾値は各MRを送信するタイミング、すなわち、異周波数帯の電力測定を開始するタイミングやHO処理を開始するタイミングを左右する。
【０００７】
MR送信タイミングが不適切である場合、HO失敗や不必要なHOが発生してしまう。HOの失敗事象は、大きく分けて以下の３つに分類される（非特許文献２参照）。
【０００８】
（１）「Too Late HO」：移動端末がセルAに接続中、もしくはセルAからセルBへのHO実行途中に無線リンク断（Radio Link Failure：RLF）が発生し、セルBと再接続する事象である。「Too Late HO」は、HOタイミングが遅すぎることが要因として考えられる。
【０００９】
（２）「Too Early HO」：移動端末がセルAからセルBへのHO実行途中、もしくはセルAからセルBへのHOが成功した直後にRLFが発生し、セルAに再接続する事象である。「Too Early HO」は、HOタイミングが早すぎることが要因として考えられる。
【００１０】
（３）「HO to Wrong Cell」：移動端末がセルAからセルBへのHO実行途中、もしくはセルAからセルBへのHOが成功した直後にRLFが発生し、セルA、Bとは異なるセルCと接続を再確立する事象である。セルBは「Target Cell」と呼ばれ、セルCは「Reconnection Cell」と呼ばれる。「HO to Wrong Cell」は、セルBへのHOタイミングが早すぎる、もしくは、セルCへのHOタイミングが遅すぎる、もしくは、その両方が要因として考えられる。
【００１１】
又、例えば、移動端末がセルAからセルBへのHO完了後、短期間内に再びセルAにHOで再接続する事象（A→B→Aでもよいし、又は、例えばA→B→C→D→Aでもよい）は、不必要なHOであると考えられる。この事象は、セルAからセルBへのHOタイミングが早すぎることが要因として考えられる。
【００１２】
MR送信タイミングは、各MRの送信判定条件の閾値を変更することによって調整することができる。HO失敗や不必要なHOの発生を低減することを目的としたHOパラメータ最適化技術として、各事象の発生に応じて、それらが解消するようにMR送信タイミングを調整する、すなわち、MR送信判定に用いる閾値を調整する技術が知られている（例えば、非特許文献３、４参照）。
【００１３】
非特許文献３、４に示されるMR送信判定条件の最適化手法では、HO失敗発生時の失敗原因に応じて、それらが解消するように送信判定に用いる閾値を調整する。そのため、入力情報としてHOの失敗原因と失敗回数などの情報が必要である。非特許文献５では、例えば図２０に示されるように、HO元のセル（セルA）とHO先のセル（セルB、C、・・・）のセルペア毎に、HO失敗原因（Too Late HO、Too Early HO、HO to Wrong Cell）別に発生回数（HO失敗回数）を集計した「HO失敗ログ」を作成している。
【先行技術文献】
【非特許文献】
【００１４】
【非特許文献１】3GPP TS36.331, v9.3.0, 2010.06
【非特許文献２】3GPP TS36.300, v9.4.0, 2010.06
【非特許文献３】"移動局の位置を考慮したハンドオーバ・パラメータの自己最適化", 2010年電子情報通信学会通信ソサイエティ大会, B-5-90
【非特許文献４】"Self-optimization for handover oscillation control in LTE", Network Operations and Management Symposium (NOMS), 2010 IEEE
【非特許文献５】3GPP TS32.425, v9.5.0. 2010-10.
【発明の概要】
【発明が解決しようとする課題】
【００１５】
しかし、非特許文献５に開示されるHO失敗ログでは、HO失敗回数が各MRの送信状態と関連付けて管理されていないため、どのMR送信判定条件の設定が不適切であったためにHO失敗が発生したのかを判断することができない。また、HO to Wrong Cellについては、HOタイミングが早すぎたセル（Target Cell）についてのみログ集計しており、HOタイミングが遅すぎたセルについてはログ集計されていない。
【００１６】
例えば、Inter-Band HOを実施するためには、まず異周波数帯の電力測定を開始するための契機であるMRを送信し、さらにHO処理を開始するための契機であるMRを送信する必要がある。このとき、HOタイミングが遅すぎることが原因で発生するHO失敗（Too Late HOとHO to Wrong Cellの一部）が発生した場合に、異周波数帯の電力測定を開始するためのMRとHO処理を開始するためのMRのうち、どちらのMRの送信タイミングが不適切であった（遅すぎた）のか、原因を特定することができない。このため、どのMR送信判定条件を最適化すればHO失敗を低減することができるのかを判断することができない。
【００１７】
また、HO処理を開始するための契機として複数のMRを利用する場合には、いずれかのMR受信を契機としてHO処理が開始される。このとき、HOタイミングが早すぎることが原因で発生するHO失敗（Too Early HOとHO to Wrong Cellの一部）が発生した場合に、複数あるMRのうち、どのMRの送信タイミングが不適切であった（早すぎた）のか、原因を特定することができない。このため、どのMR送信判定条件を最適化すればHO失敗を低減することができるのかを判断することができない。
【００１８】
あるMRの送信判定条件を最適化するためには、当該MRの送信タイミングが不適切であったことが原因で発生したHO失敗のみの情報を利用することが肝要である。仮に当該MR以外の送信タイミングが不適切であったことが原因で発生したHO失敗の情報も利用して最適化を実施してしまうと、当該MRの送信判定条件が適切に調整されず、逆にHO失敗や不必要なHOを増大させてしまう可能性がある。
【００１９】
本発明は、このような事情を考慮してなされたもので、HO失敗原因（Too Late HO、Too Early HO、HO to Wrong Cell）別にHO失敗回数を集計した「HO失敗ログ」を作成する際に、各MRの送信状態とHO失敗回数を関連付けることができる、ハンドオーバログ集計装置およびコンピュータプログラムを提供することを課題とする。
【課題を解決するための手段】
【００２０】
上記の課題を解決するために、本発明に係るハンドオーバログ集計装置は、移動端末が送信したMR（Measurement Report）を基地局が受信することを契機にして実行されるハンドオーバの失敗原因別にハンドオーバ失敗回数を集計したハンドオーバ失敗ログを作成するハンドオーバログ集計装置において、移動端末毎にMRの送信状態を記録するMR送信状態管理部と、ハンドオーバ失敗が検知されると、前記MR送信状態管理部が記録した情報に基づいて、各MRの送信状態に関連付けたハンドオーバ失敗ログを作成するハンドオーバ失敗ログ集計部と、を備えたことを特徴とする。
【００２１】
本発明に係るハンドオーバログ集計装置において、ハンドオーバ処理を開始するまでに複数のステップでMR送受信が必要となる場合に、前記MR送信状態管理部は、移動端末毎に、移動端末が接続しているセルにおける移動端末IDと各MRの送信状態とを関連付けて記録し、前記ハンドオーバ失敗ログ集計部は、ハンドオーバタイミングが遅すぎることが原因で発生したハンドオーバ失敗が検知された場合に、当該ハンドオーバ失敗が発生した移動端末IDと前記MR送信状態管理部が記録した情報とに基づいてハンドオーバ失敗の発生原因であるMRを特定し、特定したMRに関連付けたハンドオーバ失敗ログを作成する、ことを特徴とする。
【００２２】
本発明に係るハンドオーバログ集計装置において、前記ハンドオーバ失敗ログ集計部は、Too Late HOの発生が検知された場合に、RLF Indicationにより通知された移動端末IDを使用する、ことを特徴とする。
【００２３】
本発明に係るハンドオーバログ集計装置において、前記ハンドオーバ失敗ログ集計部は、HO to Wrong Cellの発生が検知された場合に、Target Cell又はReconnection Cellとの情報交換により得られたハンドオーバ先のセルIDおよび移動端末IDを使用し、前記特定したMRに関連付けた、Reconnection Cellに関するハンドオーバ失敗ログを作成する、ことを特徴とする。
【００２４】
本発明に係るハンドオーバログ集計装置において、ハンドオーバ処理を開始するための契機であるMRが複数定義される場合に、前記MR送信状態管理部は、ハンドオーバが発生する度に、移動端末IDと、ハンドオーバ処理を開始する契機となったMRの種類と、ハンドオーバ先のセルIDおよび移動端末IDとを関連付けて記録し、前記ハンドオーバ失敗ログ集計部は、ハンドオーバタイミングが早すぎることが原因で発生したハンドオーバ失敗が検知された場合に、当該ハンドオーバ失敗のハンドオーバ先のセルIDおよび移動端末IDと、当該ハンドオーバ失敗が発生した移動端末IDと、前記MR送信状態管理部が記録した情報とに基づいてハンドオーバ失敗の発生原因であるMRを特定し、特定したMRに関連付けたハンドオーバ失敗ログを作成する、ことを特徴とする。
【００２５】
本発明に係るハンドオーバログ集計装置において、前記ハンドオーバ失敗ログ集計部は、Too Early HOの発生が検知された場合に、再接続メッセージにより通知されたハンドオーバ先のセルIDおよび移動端末IDを使用する、ことを特徴とする。
【００２６】
本発明に係るハンドオーバログ集計装置において、前記ハンドオーバ失敗ログ集計部は、HO to Wrong Cellの発生が検知された場合に、Target Cell又はReconnection Cellとの情報交換により得られたハンドオーバ先のセルIDと移動端末IDを使用し、前記特定したMRに関連付けた、Target Cellに関するハンドオーバ失敗ログを作成する、ことを特徴とする。
【００２７】
本発明に係るハンドオーバログ集計装置において、前記ハンドオーバ失敗ログ集計部は、HO to Wrong Cellの発生が検知された場合に、Target CellとReconnection Cellとを区別してハンドオーバ失敗ログを作成する、ことを特徴とする。
【００２８】
本発明に係るハンドオーバログ集計装置において、移動端末毎にセル接続確立時刻を記録する接続確立時刻管理部を備え、前記ハンドオーバ失敗ログ集計部は、Too Late HOの発生が検知された場合に、RLF Indicationにより通知された移動端末IDに関する前記接続確立時刻に基づいて、接続確立時刻から一定期間超過後である場合にのみハンドオーバ失敗ログを作成する、ことを特徴とする。
【００２９】
本発明に係るコンピュータプログラムは、移動端末が送信したMR（Measurement Report）を基地局が受信することを契機にして実行されるハンドオーバの失敗原因別にハンドオーバ失敗回数を集計したハンドオーバ失敗ログを作成するハンドオーバログ集計処理を行うためのコンピュータプログラムであって、移動端末毎にMRの送信状態を記録するステップと、ハンドオーバ失敗が検知されると、前記記録した情報に基づいて、各MRの送信状態に関連付けたハンドオーバ失敗ログを作成するステップと、をコンピュータに実行させるためのコンピュータプログラムであることを特徴とする。
これにより、前述のハンドオーバログ集計装置がコンピュータを利用して実現できるようになる。
【発明の効果】
【００３０】
本発明によれば、ハンドオーバ失敗原因別にハンドオーバ失敗回数を集計したハンドオーバ失敗ログを作成する際に、各MRの送信状態とハンドオーバ失敗回数を関連付けることができる。これにより、ハンドオーバ失敗や不要なハンドオーバの発生を適切に低減することが可能となる。
【図面の簡単な説明】
【００３１】
【図１】本発明の第１実施形態に係るハンドオーバログ集計装置（HOログ集計装置）１の構成図である。
【図２】Too Late HOの発生と検知の手順を示す説明図である。
【図３】本発明の第１実施形態に係るMR送信状態管理リストの構成例である。
【図４】本発明の第１実施形態に係るHO失敗ログの構成例である。
【図５】本発明の第２実施形態に係るHOログ集計装置１１の構成図である。
【図６】Too Early HOの発生と検知の手順を示す説明図である。
【図７】本発明の第２実施形態に係るMR送信状態管理リストの構成例である。
【図８】本発明の第２実施形態に係るHO失敗ログの構成例である。
【図９】HO to Wrong Cellの発生と検知の手順を示す説明図である。
【図１０】本発明の第３実施形態に係るHO失敗ログの構成例である。
【図１１】本発明の第３実施形態に係るHO失敗ログの構成例である。
【図１２】本発明の第３実施形態に係るHOログ集計装置１１０の構成図である。
【図１３】本発明の第３実施形態に係るMR送信状態管理リストの構成例である。
【図１４】本発明の第３実施形態に係るHO失敗ログの構成例である。
【図１５】A3 MRの送信判定条件を示す説明図である。
【図１６】本発明の第４実施形態に係るHOログ集計装置２１の構成図である。
【図１７】本発明の第４実施形態に係る接続確立時刻管理リストの構成例である。
【図１８】同一周波数帯内ハンドオーバ（Intra-Band HO）のシーケンス図である。
【図１９】異周波数帯間ハンドオーバ（Inter-Band HO）及び異システム間ハンドオーバ（Inter-RAT HO）のシーケンス図である。
【図２０】従来のHO失敗ログの構成例である。
【発明を実施するための形態】
【００３２】
以下、図面を参照し、本発明の実施形態について説明する。
【００３３】
［第１実施形態］
第１実施形態では、Too Late HOが発生したときに、発生原因となったMRを判別してログを集計する。図１は、本発明の第１実施形態に係るハンドオーバログ集計装置（HOログ集計装置）１の構成図である。図１において、HOログ集計装置１は、MR送信状態管理部２とHO失敗ログ集計部３を備える。HOログ集計装置１は、各セルの基地局に設けられる。
【００３４】
ここで、図２を参照して、Too Late HOについて説明する。図２は、Too Late HOの発生と検知の手順を示す説明図である。まず、セルAに接続していた移動端末MSがHO処理を開始する前又は開始した直後に、セルAとの接続断が発生し、HOに失敗する（ステップＳ１）。その後、移動端末MSはセルBと再接続する（ステップＳ２）。これがToo Late HOの発生の手順である。再接続されたセルBはセルAに対してRLF Indicationを送信する（ステップＳ３）。RLF Indicationを受信したセルAは、セルBに対するToo Late HOの発生を検知する。
【００３５】
Too Late HOの発生原因を判別する必要が生じるのは、Inter-Band HOやInter-RAT HOのようにHO処理を開始するまでに複数のステップでMR送受信が必要となる場合である。
【００３６】
図１において、HOログ集計装置１には、MR受信に関する情報とHO失敗検知に関する情報とが入力される。HOログ集計装置１は、HO失敗原因（Too Late HO、Too Early HO、HO to Wrong Cell）別にHO失敗回数を集計したHO失敗ログであって、各MRの送信状態とHO失敗回数とを関連付けたHO失敗ログを出力する。
【００３７】
MR送信状態管理部２は、MR受信に関する情報を入力情報とし、移動端末毎に各MRの送信状態を管理する。MR送信状態管理部２は、MR送信状態管理リストを保持する。図３は、本実施形態に係るMR送信状態管理リストの構成例である。図３の例は、Inter-Band HOにおいて、異周波数帯の電力測定を開始するための契機としてA2 MR、HO処理を開始するための契機としてA3 MRを用いた場合を示している。
【００３８】
図３に示されるように、MR送信状態管理部２は、自セルに接続している各移動端末について、移動端末の識別子（ID（図３の例ではLTEシステムにおける移動端末IDであるC-RNTI））と各MRの送信状態（送信済み又は未送信）とをMR送信状態管理リストに記録する。MR送信状態管理部２は、複数のステップのMR送受信のうち、最後のステップを除く全てのMR送受信についてのMR送信状態を、MR送信状態管理リストに記録する。
【００３９】
本実施形態では、MR送受信の発生順序は、図１９に示されるように、まずA2 MR、ついでA3 MRの順である。従って、MR送信状態管理リストには、図３に例示されるように、A2 MRのみの送信状態が記録される。
【００４０】
MR送信状態管理部２は、MR送信状態管理リストにおいて、ある移動端末に関する記録内容を、当該移動端末の登録が自セルから消去されるときに同時に削除する。なお、Inter-Band HOやInter-RAT HOにおいて、例えばA1 MRの受信を契機として異周波数帯の電力測定を停止する場合には、MR送信状態管理部２は、異周波数帯の電力測定を停止するときに、MR送信状態管理リストにおける該当する移動端末に関する記録内容について、異周波数帯の電力測定を開始するための契機となるMR（図３の例ではA2 MR）の送信状態を未送信に変更する。
【００４１】
HO失敗ログ集計部３は、HO失敗検知に関する情報と、MR送信状態管理リストとを用いて、HO失敗ログを作成する。図４は、本実施形態に係るHO失敗ログの構成例である。図４の例は、Inter-Band HOにおいて、異周波数帯の電力測定を開始するための契機であるA2 MR、及び、HO処理を開始するための契機であるA3 MR、の送信状態を利用する場合である。
【００４２】
図２を参照してHO失敗ログ集計部３の動作を説明する。
Too Late HOにより接続断となった移動端末MSは、セルBに再接続する（ステップＳ２）。この再接続処理において、移動端末MSは、セルBに対して、HO元のセル（ここではセルA）のIDとHO元のセルAでの移動端末IDとを通知する。そして、ステップＳ３でセルBからセルAに送信されるRLF Indicationは、発生したToo Late HOに関するHO元のセルAのIDと、HO元のセルAでの移動端末IDとを有する。
【００４３】
セルAのHO失敗ログ集計部３は、RLF Indicationに含まれる移動端末IDをMR送信状態管理リストに記録されている移動端末IDと照合し、MR送信状態管理リストにおいて合致した移動端末IDのA2 MRの送信状態を確認する。この結果、セルAのHO失敗ログ集計部３は、該移動端末IDのA2 MRの送信状態が送信済みであるならば、Too Late HOの発生原因となったMRをA3 MRであると判定する。一方、A2 MRが未送信であるならば、Too Late HOの発生原因となったMRをA2 MRであると判定する。次いで、セルAのHO失敗ログ集計部３は、図４のHO失敗ログにおいて、Too Late HOの再接続先のセルB、且つ、Too Late HOの発生原因のMR（対象MR）に関連付けられるHO失敗回数（発生回数）に１を加算する。これにより、Too Late HOが発生したときに、発生原因となったMRを判別してHO失敗ログを集計することができる。
【００４４】
上述した第１実施形態によれば、Inter-Band HOやInter-RAT HOのようにHO処理を開始するまでに複数のステップでMR送受信が必要となる場合に、HO失敗ログに基づいて、Too Late HOの発生原因となったMRを特定して送信判定条件を最適化することができる。これにより、HO失敗や不要なHOの発生を適切に低減することが可能となる。
【００４５】
［第２実施形態］
第２実施形態では、Too Early HOが発生したときに、発生原因となったMRを判別してログを集計する。図５は、本発明の第２実施形態に係るHOログ集計装置１１の構成図である。図５において、HOログ集計装置１１は、MR送信状態管理部１２とHO失敗ログ集計部１３を備える。HOログ集計装置１１は、各セルの基地局に設けられる。
【００４６】
ここで、図６を参照して、Too Early HOについて説明する。図６は、Too Early HOの発生と検知の手順を示す説明図である。まず、セルAに接続していた移動端末MSは、HO処理を開始するための契機となるMRの送信判定条件を満たすと、セルAにMRを送信し（ステップＳ１１）、セルBへのHO処理を開始する（ステップＳ１２）。次いで、移動端末MSは、HO処理の開始直後、又はHO処理完了直後に、セルBとの接続断が発生し（ステップＳ１３）、セルAに再接続する（ステップＳ１４）。これがToo Early HOの発生の手順である。再接続されたセルAは、セルBに対してRLF Indicationを送信する（ステップＳ１５）。セルBは、ステップＳ１２のHO処理実施後、一定の保留期間以内にRLF Indicationを受信した場合には、セルAに対してHandover Reportを送信する（ステップＳ１６）。Handover Reportを受信したセルAは、セルBに対するToo Early HOの発生を検知する。
【００４７】
Too Early HOの発生原因を判別する必要が生じるのは、HO処理を開始するための契機であるMRが複数定義される場合である。
【００４８】
図５において、HOログ集計装置１１には、MR受信に関する情報と、HO処理に関する情報と、HO失敗検知に関する情報とが入力される。HOログ集計装置１１は、HO失敗原因（Too Late HO、Too Early HO、HO to Wrong Cell）別にHO失敗回数を集計したHO失敗ログであって、各MRの送信状態とHO失敗回数とを関連付けたHO失敗ログを出力する。
【００４９】
MR送信状態管理部１２は、MR受信に関する情報とHO処理に関する情報を入力情報とし、移動端末毎に各MRの送信状態を管理する。MR送信状態管理部２は、MR送信状態管理リストを保持する。図７は、本実施形態に係るMR送信状態管理リストの構成例である。図７の例は、HO処理を開始するための契機であるA3 MR及びA5 MRの送信状態を管理するものである。
【００５０】
図７に示されるように、MR送信状態管理部２は、自セルに接続している各移動端末について、隣接セルへのHOの処理の開始時に、移動端末ID（図７の例ではLTEシステムにおける端末IDであるC-RNTI）と、HO処理を開始する契機となったMRの種類と、HO先となるセルのIDと、HO先セルで割り当てられる移動端末IDとをMR送信状態管理リストに記録する。
【００５１】
MRを送信した移動端末の移動端末ID、受信したMRの種類、及びHO先となるセルのIDについては、図６のステップＳ１１におけるMR送受信から取得可能である。HO先セルで割り当てられる移動端末IDについては、図６のステップＳ１２における基地局間ネットワークを介したHO先セルとの通信で得られるHO処理情報から取得可能である。
【００５２】
MR送信状態管理部１２は、MR送信状態管理リストにおいて、ある移動端末に関する記録内容を、当該移動端末のToo Early HOがカウントされるか、又はToo Early HOをカウントするための保留時間（Too Early HOであると判定する条件である待ち時間）を超過したときに、削除する。
【００５３】
HO失敗ログ集計部１３は、HO失敗検知に関する情報と、MR送信状態管理リストとを用いて、HO失敗ログを作成する。図８は、本実施形態に係るHO失敗ログの構成例である。図８の例は、HO処理を開始するための契機であるA3 MR及びA5 MRの送信状態を利用する場合である。
【００５４】
図６を参照してHO失敗ログ集計部１３の動作を説明する。
Too Early HOにより接続断となった移動端末MSは、セルAに再接続する（ステップＳ１４）。この再接続処理において、移動端末MSは、セルAに対して、HO先のセル（ここではセルB）のIDとHO先のセルBでの移動端末IDとを通知する。
【００５５】
セルAのHO失敗ログ集計部１３は、ステップＳ１４で再接続メッセージにより移動端末MSから通知されたHO先のセルBのID及び移動端末IDを、送信状態管理リストに記録されているHO先のセルのID（HO先セルのPhysical Cell ID）及びHO先のセルでの移動端末ID（HO先セルでのC-RNTI）と照合し、MR送信状態管理リストにおいて合致した「HO先のセルのID及びHO先のセルでの移動端末ID」に関連付けられているMRの種類を確認する。この結果、セルAのHO失敗ログ集計部３は、該「HO先のセルのID及びHO先のセルでの移動端末ID」に関連付けられているMRを、Too Early HOの発生原因となったMRであると判定する。
【００５６】
次いで、セルAのHO失敗ログ集計部３は、図８のHO失敗ログにおいて、Too Early HOのHO先のセルB、且つ、Too Early HOの発生原因のMR（対象MR）に関連付けられるHO失敗回数（発生回数）に１を加算する。これにより、Too Early HOが発生したときに、発生原因となったMRを判別してHO失敗ログを集計することができる。
【００５７】
上述した第２実施形態によれば、HO処理を開始するための契機であるMRが複数定義される場合に、HO失敗ログに基づいて、Too Early HOの発生原因となったMRを特定して送信判定条件を最適化することができる。これにより、HO失敗や不要なHOの発生を適切に低減することが可能となる。
【００５８】
［第３実施形態］
第３実施形態では、HO to Wrong Cellが発生したときに、発生原因となったMRを判別してログを集計する。
【００５９】
ここで、図９を参照して、HO to Wrong Cellについて説明する。図９は、HO to Wrong Cellの発生と検知の手順を示す説明図である。まず、セルAに接続していた移動端末MSは、セルBへのHO処理を開始するための契機となるMRの送信判定条件を満たすと、セルAにMRを送信し（ステップＳ２１）、セルBへのHO処理を開始する（ステップＳ２２）。次いで、移動端末MSは、HO処理の開始直後、又はHO処理完了直後に、セルBとの接続断が発生し（ステップＳ２３）、セルCに再接続する（ステップＳ２４）。これがHO to Wrong Cellの発生の手順である。
【００６０】
再接続されたセルCは、セルBに対してRLF Indicationを送信する（ステップＳ２５）。セルBは、ステップＳ２２のHO処理実施後、一定の保留期間以内にRLF Indicationを受信した場合には、セルAに対してHandover Reportを送信する（ステップＳ２６）。Handover Reportを受信したセルAは、セルBをTarget Cellとし、セルCをReconnection CellとするHO to Wrong Cellの発生を検知する。
【００６１】
HO to Wrong Cellは３つの異なるセルの間で発生する事象であり、その発生原因は、Target CellへのHOタイミングが早すぎる、又は、Reconnection CellへのHOタイミングが遅すぎる、又は、その両方である。しかしながら、非特許文献５に開示される従来のHO失敗ログ（図２０参照）では、Target Cellに対するHO失敗としてのみ記録され、Reconnection Cellに対するHO失敗としては記録されない。
【００６２】
そこで、本実施形態では、HO失敗ログ集計部は、図１０に示されるように、HO to Wrong Cellの発生回数を、Target CellとReconnection Cellとを区別してHO失敗ログに記録する。これにより、Target CellへのHOタイミングが早いことが原因で発生したHO to Wrong Cellと、Reconnection CellへのHOタイミングが遅いことが原因で発生したHO to Wrong Cellとを区別してログ集計することができる。この結果として、HO to Wrong Cellの発生を解消するために、HO元のセル（Source Cell）とTarget Cell間のHOパラメータに加えて、HO元のセル（Source Cell）とReconnection Cell間のHOパラメータをも対象として、HOパラメータの最適化を実施することが可能となる。
【００６３】
次に、Target Cellを対象としたログ集計とReconnection Cellを対象としたログ集計とにおいて、それぞれ失敗原因となったMRの種類を判別する方法を説明する。
【００６４】
まず、Target Cellの場合を説明する。
HO to Wrong CellのTarget Cellについては、Too Early HOと同様に、HO処理を開始するための契機であるMRが複数定義される場合に、発生原因となったMRを判別する。このHOログ集計装置は、図５に示すHOログ集計装置１１と同様であり、各セルの基地局に設けられる。MR送信状態管理部１２は、図７に示されるMR送信状態管理リストの形式で、MR送信状態管理リストを作成する。ここでは、HO処理を開始するための契機であるA3 MR及びA5 MRの送信状態を管理する。
【００６５】
図９を参照して、HO失敗ログ集計部１３の動作を説明する。
HO to Wrong Cellにより接続断となった移動端末MSは、セルCに再接続する（ステップＳ２４）。この再接続処理において、移動端末MSは、セルCに対して、HO先のセル（ここではセルB）のIDとHO先のセルBでの移動端末IDを通知する。セルCは、ステップＳ２４で再接続メッセージにより移動端末MSから通知されたHO先のセルBのID及び移動端末IDを、セルAのHOログ集計装置１１へ送信する。又は、ステップＳ２５でRLF IndicationによりセルCからセルBに通知されたHO先のセルBのID及び移動端末IDを、セルBがセルAのHOログ集計装置１１へ送信する。
【００６６】
セルAのHOログ集計装置１１は、セルC又はセルBから受信したHO先のセルBのID及び移動端末IDを、MR送信状態管理リスト（図７参照）に記録されているHO先のセルのID（HO先セルのPhysical Cell ID）及びHO先のセルでの移動端末ID（HO先セルでのC-RNTI）と照合する。次いで、セルAのHO失敗ログ集計部１３は、そのMR送信状態管理リストにおいて合致した「HO先のセルのID及びHO先のセルでの移動端末ID」に関連付けられているMRの種類を確認する。この結果、セルAのHO失敗ログ集計部３は、該「HO先のセルのID及びHO先のセルでの移動端末ID」に関連付けられているMRを、Too Early HOの発生原因となったMRであると判定する。
【００６７】
次いで、セルAのHO失敗ログ集計部３は、図１１のHO失敗ログにおいて、HO to Wrong CellのTarget CellであるセルB、且つ、HO to Wrong CellのTarget Cellの発生原因のMR（対象MR）に関連付けられるHO失敗回数（発生回数）に１を加算する。これにより、HO to Wrong Cellが発生したときに、Target Cellの発生原因となったMRを判別してHO失敗ログを集計することができる。
【００６８】
なお、セルC又はセルBがHO先のセルのID及び移動端末IDをセルAのHOログ集計装置１１に送信する必要があるため、セルAとセルC又はセルBが情報交換するためのリンクを張るか、又は複数セルの上位に設置される集中サーバにおいて再接続メッセージを集中管理する。又は、該集中サーバがMR送信状態管理リストを集中管理してもよい。
【００６９】
次に、Reconnection Cellの場合を説明する。
HO to Wrong CellのReconnection Cellについては、Too Late HOと同様に、Inter-Band HOやInter-RAT HOのようにHO処理を開始するまでに複数のステップでMR送受信が必要となる場合に、発生原因となったMRを判別する。このHOログ集計装置１１０を図１２に示す。HOログ集計装置１１０は各セルの基地局に設けられる。図１２において、HOログ集計装置１１０は、MR送信状態管理部１２０とHO失敗ログ集計部１３０を備える。MR送信状態管理部１２０は、図１３に示されるMR送信状態管理リストの形式で、MR送信状態管理リストを作成する。ここでは、Inter-Band HOにおいて、異周波数帯の電力測定を開始するための契機としてA2 MR、HO処理を開始するための契機としてA3 MRを用いた場合の例を示している。
【００７０】
図１３に示されるように、MR送信状態管理部１２０は、自セルに接続している各移動端末について、隣接セルへのHOの処理の開始時に、移動端末ID（図１３の例ではLTEシステムにおける端末IDであるC-RNTI）と、各MRの送信状態（送信済み又は未送信）と、HO先となるセルのIDと、HO先セルで割り当てられる移動端末IDとをMR送信状態管理リストに記録する。MR送信状態管理部１２０は、複数のステップのMR送受信のうち、最後のステップを除く全てのMR送受信についてのMR送信状態をMR送信状態管理リストに記録する。
【００７１】
MRを送信した移動端末の移動端末ID、受信したMRの種類、及びHO先となるセルのIDについては、図９のステップＳ２１におけるMR送受信から取得可能である。HO先セルで割り当てられる移動端末IDについては、図９のステップＳ２２における基地局間ネットワークを介したHO先セルとの通信で得られるHO処理情報から取得可能である。
【００７２】
MR送信状態管理部１２０は、MR送信状態管理リストにおいて、ある移動端末に関する記録内容を、当該移動端末のHO to Wrong Cellがカウントされるか、又はHO to Wrong Cellをカウントするための保留時間（HO to Wrong Cellであると判定する条件である待ち時間）を超過したときに、削除する。
【００７３】
図９を参照して、HO失敗ログ集計部１３０の動作を説明する。
HO to Wrong Cellにより接続断となった移動端末MSは、セルCに再接続する（ステップＳ２４）。この再接続処理において、移動端末MSは、セルCに対して、HO先のセル（ここではセルB）のIDとHO先のセルBでの移動端末IDを通知する。又、ステップＳ２５において、セルCからセルBに送信されるRLF Indicationは、発生したHO to Wrong Cellに関するHO先のセルBのIDとHO先のセルBでの移動端末IDを有する。セルC又はセルBは、HO先のセルBのIDとHO先のセルBでの移動端末IDを、セルAのHOログ集計装置A1へ送信する。
【００７４】
セルAのHO失敗ログ集計部１３０は、セルC又はセルBから受信したHO先のセルBのIDとHO先のセルBでの移動端末IDを、MR送信状態管理リスト（図１３参照）に記録されているセルIDおよび移動端末ID（C-RNTI）と照合し、MR送信状態管理リストにおいて合致した移動端末IDのA2 MRの送信状態を確認する。この結果、セルAのHO失敗ログ集計部３は、該移動端末IDのA2 MRの送信状態が送信済みであるならば、HO to Wrong Cellの発生原因となったMRをA3 MRであると判定する。一方、A2 MRが未送信であるならば、HO to Wrong Cellの発生原因となったMRをA2 MRであると判定する。
【００７５】
次いで、セルAのHO失敗ログ集計部１３０は、図１４のHO失敗ログにおいて、HO to Wrong CellのReconnection CellであるセルC、且つ、HO to Wrong CellのReconnection Cellの発生原因のMR（対象MR）に関連付けられるHO失敗回数（発生回数）に１を加算する。これにより、HO to Wrong Cellが発生したときに、Reconnection Cellの発生原因となったMRを判別してHO失敗ログを集計することができる。
【００７６】
なお、セルC又はセルBは、HO先のセルBのIDとHO先のセルBでの移動端末IDを、セルAのHOログ集計装置１へ送信する必要があるため、セルAとセルC又はセルBが情報交換するためのリンクを張るか、又は複数セルの上位に設置される集中サーバにおいて再接続メッセージを集中管理する。又は、該集中サーバがMR送信状態管理リストを集中管理してもよい。
【００７７】
上述した第３実施形態によれば、HO失敗ログに基づいて、HO to Wrong Cellの発生原因となったMRを特定して送信判定条件を最適化することができる。これにより、HO失敗や不要なHOの発生を適切に低減することが可能となる。
【００７８】
［第４実施形態］
第４実施形態では、Too Late HOが発生したときに、HOタイミングが遅すぎたことが原因ではない事象を除外してログを集計する。
【００７９】
図１５は、HO処理を開始するための契機であるA3 MRの送信判定条件を示す説明図である。図１５において、時刻t1でセルAに接続していた移動端末は、時刻t2で条件１の「隣接セルと接続セルの電力差が閾値以上となる」を満たし、さらに時刻t3で条件２の「条件１を一定時間以上満たす」を満たすことによって、A3 MRを送信する。
【００８０】
ここで、条件１の閾値が意味を持つのは、条件１を満たす時刻t2以前に、移動端末がセルAに接続している場合のみである。例えば移動端末の電源オンや他セルからのHOなどにより、移動端末がセルAに接続した時点で条件１を満たしている場合を考える。図１５において、時刻t4で移動端末がセルAに接続した時点において条件１を満たしている。この時刻t4からA3 MRの送信判定条件を判定し、結果的にHOタイミングが遅れてToo Late HOと判定されたとしても、このToo Late HOの発生原因は、A3 MRの送信判定条件が不適切だったことではないと考えられる。そこで、本実施形態では、そのようなHO失敗はToo Late HOとしてカウントしないことにする。
【００８１】
図１６は、本発明の第４実施形態に係るHOログ集計装置２１の構成図である。図１６において、HOログ集計装置２１は、接続確立時刻管理部２２とHO失敗ログ集計部２３を備える。HOログ集計装置２１は、各セルの基地局に設けられる。
【００８２】
HOログ集計装置２１には、移動端末が自セルへの接続を確立したことを示す接続情報と、HO失敗検知に関する情報とが入力される。HOログ集計装置２１は、図２０に示される、HO失敗原因（Too Late HO、Too Early HO、HO to Wrong Cell）別にHO失敗回数を集計したHO失敗ログを出力する。
【００８３】
接続確立時刻管理部２２は、移動端末毎に、自セルへの接続を確立した時刻を接続確立時刻管理リストに記録する。図１７は、接続確立時刻管理リストの構成例である。接続確立時刻管理部２２は、接続確立時刻管理リストにおいて、ある移動端末の記録内容を、当該移動端末の登録が自セルから消去されるときに同時に削除する。
【００８４】
HO失敗ログ集計部２３は、HO失敗検知に関する情報と、接続確立時刻管理リストとを用いて、HO失敗ログを作成する。HO失敗ログ集計部２３は、移動端末の接続確立直後に発生したToo Late HOをHO失敗ログに含めないようにする。
【００８５】
図２を参照してHO失敗ログ集計部２３の動作を説明する。
Too Late HOにより接続断となった移動端末MSは、セルBに再接続する（ステップＳ２）。この再接続処理において、移動端末MSは、セルBに対して、HO元のセル（ここではセルA）のIDとHO元のセルAでの移動端末IDとを通知する。そして、ステップＳ３でセルBからセルAに送信されるRLF Indicationは、発生したToo Late HOに関するHO元のセルAのIDと、HO元のセルAでの移動端末IDとを有する。
【００８６】
セルAのHO失敗ログ集計部２３は、RLF Indicationに含まれる移動端末IDを接続確立時刻管理リストに記録されている移動端末IDと照合し、接続確立時刻管理リストにおいて合致した移動端末IDの接続確立時刻を確認する。この結果、セルAのHO失敗ログ集計部２３は、現在時刻が該移動端末IDの接続確立時刻から一定期間以内であるならば、Too Late HOではないと判定する。一方、セルAのHO失敗ログ集計部２３は、現在時刻が該移動端末IDの接続確立時刻から一定期間経過後であるならば、Too Late HOの発生原因となったMRをA3 MRであると判定し、図２０のHO失敗ログにおいて該移動端末IDのToo Late HOのHO失敗回数（発生回数）に１を加算する。該一定期間とは、例えば図１５において条件２の一定時間に対して一定の処理遅延時間を加えた時間とすることが挙げられる。
【００８７】
これにより、Too Late HOが発生したときに、HOタイミングが遅すぎたことが原因ではない事象を除外してログを集計することができる。
【００８８】
上述した第４実施形態によれば、HO失敗ログに基づいて、Too Late HOの発生原因となったMRを特定して送信判定条件を最適化するときの精度を向上させることができる。
【００８９】
以上、本発明の実施形態について図面を参照して詳述してきたが、具体的な構成はこの実施形態に限られるものではなく、本発明の要旨を逸脱しない範囲の設計変更等も含まれる。
また、上述した各実施形態に係るHOログ集計装置の機能を実現するためのプログラムをコンピュータ読み取り可能な記録媒体に記録して、この記録媒体に記録されたプログラムをコンピュータシステムに読み込ませ、実行することにより、HOログ集計処理を行ってもよい。なお、ここでいう「コンピュータシステム」とは、ＯＳや周辺機器等のハードウェアを含むものであってもよい。
また、「コンピュータ読み取り可能な記録媒体」とは、フレキシブルディスク、光磁気ディスク、ＲＯＭ、フラッシュメモリ等の書き込み可能な不揮発性メモリ、ＤＶＤ（Digital Versatile Disk）等の可搬媒体、コンピュータシステムに内蔵されるハードディスク等の記憶装置のことをいう。
【００９０】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Dynamic Random Access Memory））のように、一定時間プログラムを保持しているものも含むものとする。
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【符号の説明】
【００９１】
１，１１，２１，１１０…HOログ集計装置、２，１２，１２０…MR送信状態管理部、３，１３，２３，１３０…HO失敗ログ集計部、２２…接続確立時刻管理部
【図１】
0005291762.tif 000002
【図２】
0005291762.tif 000003
【図３】
0005291762.tif 000004
【図４】
0005291762.tif 000005
【図５】
0005291762.tif 000006
【図６】
0005291762.tif 000007
【図７】
0005291762.tif 000008
【図８】
0005291762.tif 000009
【図９】
0005291762.tif 000010
【図１０】
0005291762.tif 000011
【図１１】
0005291762.tif 000012
【図１２】
0005291762.tif 000013
【図１３】
0005291762.tif 000014
【図１４】
0005291762.tif 000015
【図１５】
0005291762.tif 000016
【図１６】
0005291762.tif 000017
【図１７】
0005291762.tif 000018
【図１８】
0005291762.tif 000019
【図１９】
0005291762.tif 000020
【図２０】
0005291762.tif 000021